(57)【要約】【課題】取り付けが容易である落下防止装置を提供する。【解決手段】  装置本体４２は、第１端に向かうに連れて、互いに離間する腕部４２３，４２４を備え、腕部４２３，４２４の先端から腕部４２３，４２４が互いに離間する方向に突出してポール１内に延びる係止部４２５，４２６を備える。係止部４２５，４２６は、基部４２１の弾性変形に伴い、取付孔１２の径方向に対して、アーム２の第１端からアーム２の外側に突出する係止位置と非係止位置との間で変位可能に形成されている。よって、落下防止装置４では、ポール１に対して装置本体４２を容易に取り付けることができる。【選択図】図１
2017106521.tif 000002
【特許請求の範囲】
【請求項１】
地面から立設された筒状のポールの側面の取付孔に取り付けられたアームの落下を防止するための落下防止装置であって、
筒状の前記アームの内部に設けられた支持部と、前記支持部に支持され、かつ、前記取付孔に挿入される前記アームの第１端から、少なくとも一部が前記ポール内に突出する装置本体と、を備え、
前記装置本体は、基部と、前記基部に設けられ、かつ、前記支持部に支持される被支持部と、前記取付孔の軸方向から見て、前記基部の前記被支持部の両側の位置から前記第１端に向かって延び、かつ、前記第１端に向かうに連れて、互いに離間する一対の腕部と、前記一対の腕部の先端から前記一対の腕部が互いに離間する方向に突出して前記ポール内に延びる一対の係止部と、を備え、
前記基部は、弾性部材で形成されており、前記取付孔の径方向に沿って弾性変形可能であり、
前記一対の係止部は、前記基部の弾性変形に伴い、前記取付孔の径方向に対して、前記アームの前記第１端から前記アームの外側に突出する係止位置と、前記アームの前記第１端から前記アームの外側に突出しない非係止位置との間で変位可能に形成されていること特徴とする落下防止装置。
【請求項２】
前記一対の係止部は、前記ポールの内部に向かうに連れて先細となる形状に形成されていることを特徴とする請求項１記載の落下防止装置。
【請求項３】
前記被支持部は、棒状の支持部が挿通される孔状に形成され、
前記一対の腕部のうち少なくとも一方は、前記取付孔の軸方向から見て前記支持部の軸方向に直交する方向において、前記ポール内側に位置する部分の幅に比べて、前記ポール外側に位置する部分の幅の方が狭くなるように形成されていることを特徴とする請求項１又は請求項２記載の落下防止装置。
【請求項４】
前記被支持部は、前記取付孔の軸方向に延びる長孔状に形成されていることを特徴とする請求項３記載の落下防止装置。
【発明の詳細な説明】
【技術分野】
【０００１】
本発明は、ポールに取り付けられているアームの落下を防止するための落下防止装置に関する。
【背景技術】
【０００２】
従来、アームに取り付けられた照明器具の落下を防止するための落下防止装置が提案されている。例えば、特許文献１には、照明器具と、照明器具が取り付けられる取付ポールと、照明器具を繋ぎ止める落下防止用のワイヤと、ワイヤを取り付ける棒部材とを備えた屋外用照明装置が記載されており、ワイヤと棒部材とが落下防止装置に相当する。
【先行技術文献】
【特許文献】
【０００３】
【特許文献１】特開２００８−２７７８３号公報
【発明の概要】
【発明が解決しようとする課題】
【０００４】
特許文献１記載の落下防止用のワイヤで取付ポールを繋ぎ止めて、取付ポールの落下を防止しようとすると、アームおよび取付ポール内にワイヤを通す作業が必要となり、手間と時間がかかってしまうという場合がある。
【０００５】
本発明は、上記問題点に鑑みてなされており、取り付けが容易である落下防止装置を提供することを目的とする。
【課題を解決するための手段】
【０００６】
本発明の落下防止装置は、地面から立設された筒状のポールの側面の取付孔に取り付けられたアームの落下を防止するための落下防止装置であって、筒状の前記アームの内部に設けられた支持部と、前記支持部に支持され、かつ、前記取付孔に挿入される前記アームの第１端から、少なくとも一部が前記ポール内に突出する装置本体と、を備え、前記装置本体は、基部と、前記基部に設けられ、かつ、前記支持部に支持される被支持部と、前記取付孔の軸方向から見て、前記基部の前記被支持部の両側の位置から前記第１端に向かって延び、かつ、前記第１端に向かうに連れて、互いに離間する一対の腕部と、前記一対の腕部の先端から前記一対の腕部が互いに離間する方向に突出して前記ポール内に延びる一対の係止部と、を備え、前記基部は、弾性部材で形成されており、前記取付孔の径方向に沿って弾性変形可能であり、前記一対の係止部は、前記基部の弾性変形に伴い、前記取付孔の径方向に対して、前記アームの前記第１端から前記アームの外側に突出する係止位置と、前記アームの前記第１端から前記アームの外側に突出しない非係止位置との間で変位可能に形成されていることを特徴とする。
【発明の効果】
【０００７】
本発明によれば、取り付けが容易である落下防止装置を提供することができる。
【図面の簡単な説明】
【０００８】
【図１】本発明の実施形態１に係る落下防止装置の斜視図である。
【図２】本発明の実施形態１に係る落下防止装置を示し、図２Ａはアーム内部に収容された状態の断面図、図２Ｂは第１係止部が取付孔に挿入された状態の断面図、図２Ｃは取付孔にアームの後端の上端が取付孔に挿入された状態の断面図である。また、図２Ｄはアームの後端が取付孔に収容された状態の断面図、図２Ｅはアームの外面と取付孔の周縁とが溶接により固定された状態の断面図、図２Ｆは図２Ｅの構成を矢印Ｙａの方向から見た断面図である。
【図３】本発明の実施形態１に係る落下防止装置を介して破断したアームがポールにぶら下がった状態の断面図である。
【図４】本発明の実施形態２に係る落下防止装置を示し、図４Ａはアーム内部に収容された状態の断面図、図４Ｂは実施形態２に係る落下防止装置を介して破断したアームがポールにぶら下がった状態の断面図である。
【図５】本発明の実施形態２の変形例１に係る落下防止装置を示し、図５Ａはアーム内部に収容された状態の断面図、図５Ｂは落下防止装置を介して破断したアームがポールにぶら下がった状態の断面図である。
【図６】本発明の実施形態３に係る落下防止装置を示し、図６Ａはアーム内部に収容された状態の説明図、図６Ｂは落下防止装置を介して破断したアームがポールにぶら下がった状態の説明図である。
【発明を実施するための形態】
【０００９】
以下、本発明の実施形態に係る落下防止装置について、図面を参照して詳細に説明する。
【００１０】
なお、以下の実施形態で説明する構成は本発明の一例に過ぎない。本発明は、以下の実施形態に限定されず、本発明に係る技術思想を逸脱しない範囲であれば、設計等に応じて種々の変更が可能である。また、以下の説明では特に断りがない限り、図１に示す向きにおいて上下左右前後の方向を規定して説明を行う。
（実施形態１）
実施形態１に係る落下防止装置４は、図１に示すように例えば地面から立設されたポール１の側面の取付孔１２に取り付けられたアーム２の落下を防止するために用いられる。
【００１１】
ポール１は、円筒状の鋼管からなり、側面上部に、円形状の取付孔１２が形成されている。アーム２は、外径が取付孔１２よりも僅かに小さい円筒状に形成されており、軸方向の後端（第１端）が取付孔１２に挿入可能に構成されている。また、アーム２の前端（第２端）には、照明器具（図示せず）が取り付けられている。アーム２に取り付けられた照明器具は、ポール１周辺の地面を照らす街路灯や道路灯として用いられる。アーム２は、鋼管で形成されていることが好ましい。
【００１２】
落下防止装置４は、図１に示すように支持部４１と装置本体４２とを備えている。
【００１３】
支持部４１は、左右方向に延びる棒状（例えば丸棒状）に形成されている。支持部４１の左右両端は、アーム２の内面に溶接により固定されている。なお、支持部４１は、丸棒状に形成されることが好ましいが、例えば多角柱形状に形成されてもよい。また、支持部４１は、鋼材で形成されていることが好ましいが、例えば支持部４１の構成材料としてステンレス鋼を用いてもよい。
【００１４】
装置本体４２は、アーム２の内部に収容可能に構成されている。装置本体４２は、前後方向に延びる板状に形成されている。装置本体４２は、弾性部材（例えば鋼材）で形成されている。装置本体４２は、円弧が前方に向けて膨らんだ略半円状に形成された基部４２１を備える。基部４２１の径方向の中央の位置には、基部４２１を左右方向に貫通する孔状（例えば円孔状）の被支持部４２２が形成されている。被支持部４２２は、支持部４１の外径よりも僅かに大きく形成されている。落下防止装置４では、支持部４１が被支持部４２２に左右方向に挿通されており、装置本体４２が被支持部４２２で支持部４１に回転可能に支持されている。なお、装置本体４２は、支持部４１に回転可能に支持される構成が好ましいが、回転可能に支持されずに、単に支持される構成でもよい。また、装置本体４２は、一対の腕部４２３，４２４を備える。各腕部４２３，４２４は、基部４２１の上下方向（前後方向から見て支持部４１の軸方向に直交する方向）における被支持部４２２の両側から、後方に向かって延びる長尺の板状に形成されている。なお、以下では、説明の便宜上、一対の腕部４２３，４２４のうち、上側に配置された腕部４２３を第１腕部４２３と称し、下側に配置された腕部４２４を第２腕部４２４と称することもある。一対の腕部４２３，４２４は、後方に向かうに連れて、互いに上下方向に離間するように形成されている。また、一対の腕部４２３，４２４は、基部４２１の弾性変形および弾性復元に伴い、上下方向に対して、互いに接近および離間するように構成されている。
【００１５】
装置本体４２は、各腕部４２３，４２４の後端の位置に、一対の係止部４２５，４２６を備える。なお、以下では、説明の便宜上、一対の係止部４２５，４２６のうち、第１腕部４２３に設けられた係止部４２５を第１係止部４２５と称し、第２腕部４２４に設けられた係止部４２６を第２係止部４２６と称することもある。第１係止部４２５は、左右方向から見て第１腕部４２３から上方に突出し、第１腕部４２３の先端に向かうに連れて先細りとなる三角形状に形成されている。また、第２係止部４２６は、左右方向から見て第２腕部４２４から下方に突出し、第２腕部４２４の先端に向かうに連れて先細りとなる三角形状に形成されている。
【００１６】
係止部４２５，４２６は、基部４２１が弾性変形していない状態で、第１係止部４２５の上端と第２係止部４２６の下端との間の距離が取付孔１２の寸法よりも大きくなるように形成されている。したがって、基部４２１が弾性変形していない場合に、図１に示すように一対の係止部４２５，４２６がアーム２の後端からアーム２の上下方向外側に突出し、一対の係止部４２５，４２６の後端が取付孔１２の周縁に係止可能となる。また、係止部４２５，４２６は、基部４２１が弾性変形した状態で、第１係止部４２５の上端と第２係止部４２６の下端との間の距離がアーム２の内径よりも小さくなるように形成されている。したがって、基部４２１が弾性変形した場合に、一対の係止部４２５，４２６がアーム２の後端からアーム２の上下方向外側に突出しない。よって、一対の係止部４２５，４２６は、基部４２１の弾性変形に伴い、上下方向に対して、アーム２の外側に突出する係止位置と、アーム２の外側に突出しない非係止位置との間で変位可能に形成されている。
【００１７】
また、装置本体４２では、一対の腕部４２３，４２４に挟まれた空間により、前後方向に延びる挿入溝４４が構成されており、挿入溝４４は、被支持部４２２と連通するように形成されている。なお、装置本体４２は、１枚の金属板から打ち抜き加工によって形成可能である。
【００１８】
続けて、実施形態１に係る落下防止装置４をポール１に取り付ける手順について説明する。
【００１９】
まず、最初に、作業者は、アーム２の後端を斜め下方に傾けた後に、図２Ｂに示すように取付孔１２に第１係止部４２５を挿入する。次に、作業者は、第１係止部４２５を取付孔１２に挿入した後に、図２Ｃに示すようにアーム２の後端の上端を取付孔１２に挿入し収容する。続けて、作業者は、アーム２の後端の上端が取付孔１２に挿入された状態で、取付孔１２の周縁に第１係止部４２５を係止させる。そして、係止された第１係止部４２５を支点に、アーム２を右方から見て反時計回りに回転し、アーム２の後端の下端を取付孔１２に挿入する。アーム２の回転に伴い、アーム２の後端の下端が取付孔１２の下端に接近すると、第２係止部４２６の外面が取付孔１２の内周面に接触した後に、取付孔１２の内周面に案内されながら、ポール１の内側に移動する。第２係止部４２６の外面がポール１の内側に移動するに連れて、取付孔１２の内周面により第２係止部４２６の外面が上方に押されて、基部４２１が弾性変形する。そして、図２Ｄに示すように第２係止部４２６が取付孔１２を乗り越えてポール１の内側に挿入された後に、アーム２の後端の下端が取付孔１２に挿入されて収容された際に、作業者は、アーム２の回転を終了する。第２係止部４２６が取付孔１２を乗り越えると、第２係止部４２６の外面が取付孔１２の内周面から離間し、基部４２１が弾性復元する。基部４２１の弾性復元により、各腕部４２３，４２４が互いに離間する方向に移動して、各係止部４２５，４２６が係止位置に戻る。よって、ポール１の内側に係止部４２５，４２６が挿入され、ポール１に対する落下防止装置４の取り付けが終了する。
【００２０】
ポール１に対する落下防止装置４の取り付けが終了した後に、作業者は、取付孔１２に収容されたアーム２を、支持部４１が固定された位置よりも後方の位置まで押し込む。そして、作業者は、図２Ｅおよび図２Ｆに示すようにアーム２の外周面と取付孔１２の周縁とを溶接する。これにより、ポール１とアーム２とが溶接部５１で固定されて、ポール１の取付孔１２に対するアーム２の取り付けが完了する。
【００２１】
ここで、経時劣化等により、アーム２の外面や、取付孔１２の周縁から溶接部５１が外れて、アーム２が取付孔１２から抜けてしまうことがある。これに対して、落下防止装置４は、装置本体４２の一対の係止部４２５，４２６が非係止位置から係止位置に変位した状態で、ポール１の内部に収容されている。したがって、アーム２が取付孔１２から抜け落ちようとしても、係止部４２５，４２６がポール１の内側の取付孔１２の周縁に係止される。よって、アーム２は、支持部４１と装置本体４２とを介して、ぶら下がった状態でポール１に支持される。したがって、ポール１に対するアーム２の落下を防止することができる。
【００２２】
また、アーム２の外面では、溶接部５１の周りの位置で、溶接時の熱等により腐食防止用の塗装が禿げてしまい、アーム２の腐食防止用の塗装が禿げてしまった部分が、腐食してしまう場合がある。そして、腐食が進行すると、アーム２の自重や照明器具等の重みに耐え切れずに、図４に示すようにアーム２の腐食部分が破断してしまう場合がある。
【００２３】
これに対して、落下防止装置４では、図３に示すようにアーム２において、溶接部５１よりも前方の位置に、支持部４１が固定されている。よって、ポール１と支持部４１との間の位置で、アーム２が破断したとしても、支持部４１を介して、破断したアームの前側部分２１１と装置本体４２とが繋がる。溶接部５１の周りの位置でアーム２が破断した場合に、破断したアームの前側部分２１１が下方に落ちようとするとともに、破断したアームの後側部分２１２がポール１に固定された状態で残留する。よって、破断したアームの前側部分２１１が下方に落ちようとしても、係止部４２５，４２６が、破断したアームの後側部分２１２の後端に係止される。したがって、破断したアームの前側部分２１１は、支持部４１と装置本体４２とを介して、ぶら下がった状態でポール１に支持され、ポール１に対するアーム２の落下を防止することができる。
【００２４】
ところで、特許文献１に記載された落下防止用のワイヤや棒部材等を介して、アームとポールとを繋ぎ止めることで、ポールに対するアームの落下を防止することができる。
【００２５】
しかし、落下防止用のワイヤを用いてアームとポールとを繋ぎ止めようとすると、アームとポールとの両方に落下防止用のワイヤを通すとともに、落下防止用のワイヤをポール１の内側に設けられた棒部材に取り付ける作業が必要である。よって、落下防止用のワイヤや棒部材等を用いてアームの落下を防止しようとすると、アーム２とポール１との両方に落下防止用のワイヤを通す工程も施工の作業工程に含まれてしまうため、施工に要する手間や時間が余分にかかってしまうという問題があった。
【００２６】
これに対して、落下防止装置４では、アーム２の後端が取付孔１２に挿入する際に、基部４２１の弾性変形により、各係止部４２５，４２６が係止位置から非係止位置に変位する。したがって、アーム２をポール１に取り付ける際に、各係止部４２５，４２６が取付孔１２の周縁に引っかかることが低減される。また、アーム２の後端が取付孔１２に挿入された後に、ポール１の内側に収容された基部４２１の弾性復元により各係止部４２５，４２６が非係止位置から係止位置に変位する。したがって、アーム２がポール１に取り付けられた後に、アーム２が前方に移動しようとしても、各係止部４２５，４２６の前端が取付孔１２の周縁に引っかかる。よって、ポール１の取付孔１２にアーム２を取り付ける作業の過程で、ポール１に対する落下防止装置４の取り付け作業を完了させることができる。したがって、落下防止装置４では、アーム２とポール１との両方にワイヤを通す必要が無く、作業工程からアーム２とポール１との両方にワイヤを通す工程を省くことができる。よって、従来の落下防止装置に比べて、施工に要する手間を低減することができるとともに、施工に要する作業時間を短縮することができる。よって、ポール１に対して装置本体４２を容易に取り付けることができる。
【００２７】
また、一対の係止部４２５，４２６は、各腕部４２３，４２４の先端に向かうに連れて先細りとなる形状に形成されている。よって、各腕部４２３，４２４の先端に向かうに連れて先細りとならない形状の係止部よりも、先端を取付孔１２に挿入し易くなっており、ポール１に対して装置本体４２をさらに容易に取り付けることができる。
【００２８】
上述のように実施形態１に係る落下防止装置４は、地面から立設された筒状のポール１の側面の取付孔１２に取り付けられたアーム２の落下を防止するための装置である。また、落下防止装置４は、筒状のアーム２の内部に設けられた支持部４１と、支持部４１に支持され、かつ、取付孔１２に挿入されるアーム２の第１端から、少なくとも一部がポール１内に突出する装置本体４２と、を備える。装置本体４２は、基部４２１と、基部４２１に設けられ、かつ、支持部４１に支持される被支持部４２２とを備える。装置本体４２は、取付孔１２の軸方向から見て、基部４２１の被支持部４２２の両側の位置から第１端に向かって延び、かつ、第１端に向かうに連れて、互いに離間する一対の腕部４２３，４２４を備える。また、装置本体４２は、一対の腕部４２３，４２４の先端から一対の腕部４２３，４２４が互いに離間する方向に突出してポール１内に延びる一対の係止部４２５，４２６と、を備える。基部４２１は、弾性部材で形成されており、取付孔１２の径方向に沿って弾性変形可能に構成されている。また、一対の係止部４２５，４２６は、基部４２１の弾性変形に伴い、取付孔１２の径方向に対して、アーム２の第１端からアーム２の外側に突出する係止位置に変位可能に形成されている。また、一対の係止部４２５，４２６は、一対の腕部４２３，４２４の弾性変形に伴い、アーム２の第１端からアーム２の外側に突出しない非係止位置に変位可能に形成されている。
【００２９】
実施形態１に係る落下防止装置４は上述のように構成されているので、ポール１の取付孔１２にアーム２を取り付ける作業の過程で、ポール１に対する取り付け作業を完了させることができる。したがって、アーム２とポール１との両方にワイヤを通す必要が無く、作業工程からアーム２とポール１との両方にワイヤを通す工程を省くことができる。よって、従来の落下防止装置に比べて、施工に要する手間を低減することができるとともに、施工に要する作業時間を短縮することができ、ポール１に対して容易に取り付けることができる。
【００３０】
また、実施形態１に係る落下防止装置４において、一対の係止部４２５，４２６は、ポール１の内部に向かうに連れて先細となる形状に形成されていることが好ましい。
【００３１】
実施形態１に係る落下防止装置４が上述のように構成されれば、先端を取付孔１２に挿入し易く、ポール１に対して装置本体４２をさらに容易に取り付けることができる。
（実施形態２）
本発明の実施形態２に係る落下防止装置４は、基本的な構成が実施形態１に係る落下防止装置４と共通であるので、共通の構成要素には、同一の符号を付して説明を省略する。
【００３２】
各腕部４２３，４２４は、図４に示すように一対の幅広部５２５，５２６と、一対の幅広部５２５，５２６よりも上下方向の幅が狭い一対の幅狭部５２７，５２８とで構成されている。一対の幅狭部５２７，５２８は、基部４２１の上下方向（前後方向から見て支持部４１の軸方向に直交する方向）における被支持部４２２の両側から、後方に向かって延びる長尺の板状に形成されている。一対の幅広部５２５，５２６は、一対の幅狭部５２７，５２８の後端から後方に向かって延びる長尺の板状に形成されている。落下防止装置４では、アーム２の後端が取付孔１２に取り付けられた際に、一対の幅広部５２５，５２６がポール１の内側に配置されるとともに、一対の幅狭部５２７，５２８は、ポール１の外側に配置されるように構成されている。なお、以下では、説明の便宜上、一対の幅広部５２５，５２６のうち、上側に配置された幅広部５２５を第１幅広部５２５と称し、下側に配置された幅広部５２６を第２幅広部５２６と称することもある。また、一対の幅狭部５２７，５２８のうち、上側に配置された幅狭部５２７を第１幅狭部５２７と称し、下側に配置された幅狭部５２８を第２幅狭部５２８と称することもある。
【００３３】
また、第１幅狭部５２７は、第１幅広部５２５に比べて、上端から第１腕部４２３の下端までの距離が短くなるように形成されている。第２幅狭部５２８は、第２幅広部５２６に比べて、上端と第１腕部４２３の下端までの距離が短くなるように形成されている。
【００３４】
ここで、溶接部５１の周りの位置でアーム２が破断した場合に、支持部４１および装置本体４２を介して、破断したアームの前側部分２１１がポール１にぶら下がる。そして、破断したアームの前側部分２１１の自重や照明器具等の重みにより、破断したアームの前側部分２１１が支持部４１を中心に右方から見て反時計回りに回転する。幅狭部５２７，５２８を有しない腕部４２３，４２４では、破断したアームの前側部分２１１が回転すると、破断したアームの前側部分２１１の後端が第２腕部４２４の下端に接触して、回転が止められる。したがって、アーム２が破断したとしても、ポール１に対するアーム２の回転が制限されてしまい、アーム２が破断していることが外観上わかり難く、アーム２の破断が遠目から確認し難い。
【００３５】
これに対して、落下防止装置４では、第２腕部４２４は、第２幅狭部５２８を備えている。よって、第２幅狭部５２８では、第２幅広部５２６に比べて、上端から第２腕部４２４の下端までの距離が短くなっており、第２幅狭部５２８でアーム２の底面と第２腕部４２４との間の隙間が広くなっている。したがって、第２幅狭部５２８で第２腕部４２４とアーム２の底面との間の隙間が広くなった分、破断したアームの前側部分２１１の回転量を増加することができる。よって、破断する前のアーム２よりも、破断した後のアーム２の方が傾斜しているので、アーム２が破断していることが外観上わかり易い。したがって、アーム２の破断が遠目から確認し易く、効率良くアーム２の破断を認知させ易くすることができる。よって、実施形態２に係る落下防止装置４は、実施形態１に係る落下防止装置４に比べて、より利便性を向上することができる。
【００３６】
また、実施形態２に係る落下防止装置４として、第１幅広部５２５と第１幅狭部５２７との間や、第２幅広部５２６と第２幅狭部５２８との間に段差を設けた一対の腕部４２３，４２４を例示したが、これに限定されない。例えば図５に示す実施形態２に係る変形例１のように、第２腕部４２４は、第２幅広部５２６の前端から前方に向かうに連れて、第２幅狭部５３８が上方に向けて傾斜するように形成してもよい。また、例えば図５に示す実施形態２に係る変形例１のように、第１腕部４２３も、第１幅広部５２５の前端から前方に向かうに連れて、第１幅狭部５３７が下方に向けて傾斜するように形成してもよい。
【００３７】
上述のように実施形態２に係る落下防止装置４では、被支持部４２２は、棒状の支持部４１が挿通される孔状に形成されることが好ましい。被支持部４２２では、一対の腕部４２３，４２４のうち少なくとも一方は、取付孔１２の軸方向から見て支持部４１の軸方向に直交する方向において、ポール１内側の部分の幅に比べて、ポール１外側の部分の幅の方が狭くなるように形成されることが好ましい。
【００３８】
実施形態２に係る落下防止装置４が上述のように構成されれば、破断したアームの前側部分２１１がさらに回転することができる。よって、破断する前のアーム２よりも、破断した後のアーム２の方が傾斜しているので、アーム２が破断していることが外観上わかり易い。したがって、アーム２の破断が遠目から確認し易く、効率良くアーム２の破断を認知され易くすることができる。よって、実施形態２に係る落下防止装置４は、実施形態１に係る落下防止装置４に比べて、より利便性を向上することができる。
（実施形態３）
本発明の実施形態３に係る落下防止装置４は、基本的な構成が実施形態２に係る落下防止装置４と共通であるので、共通の構成要素には、同一の符号を付して説明を省略する。
【００３９】
落下防止装置４の基部４２１には、被支持部４２２に替えて、図６に示すように前後方向に長尺の長孔状の被支持部６２２が形成されている。
【００４０】
よって、アームの前側部分２１１の反時計回りの回転に伴い、アームの前側部分２１１の前端が下方に傾いた際に、被支持部６２２に沿って、破断したアームの前側部分２１１を前方に移動させることができる。よって、破断したアームの前側部分２１１を前方に移動させた分、破断したアームの前側部分２１１の後端が第２腕部４２４の下端に接触することを回避でき、さらに破断したアームの前側部分２１１を回転させることができる。したがって、破断する前のアーム２よりも、破断した後のアーム２の方がさらに傾斜しているので、アーム２が破断していることが外観上わかり易い。したがって、アーム２の破断が遠目から確認し易く、効率良くアーム２の破断をより認知され易くすることができる。よって、実施形態３に係る落下防止装置４は、実施形態２に係る落下防止装置４に比べて、より利便性を向上することができる。
【００４１】
上述のように実施形態３に係る落下防止装置４では、被支持部６２２は、取付孔１２の軸方向に延びる長孔状に形成されることが好ましい。
【００４２】
実施形態３に係る落下防止装置４が上述のように構成されれば、実施形態２に係る落下防止装置４に比べて、より利便性を向上することができる。
【符号の説明】
【００４３】
１  ポール
２  アーム
４  落下防止装置
１２  取付孔
４１  支持部
４２  装置本体
４２１  基部
４２２  被支持部
４２３，４２４  腕部
４２５，４２６  係止部
６２２  被支持部
【図１】
2017106521.tif 000003
【図２】
2017106521.tif 000004
【図３】
2017106521.tif 000005
【図４】
2017106521.tif 000006
【図５】
2017106521.tif 000007
【図６】
2017106521.tif 000008